(57)【要約】      （修正有）【課題】マンション等の開き戸に後付けの補助錠として使用する防犯錠において、施錠部材の施錠機構を鍵を用いずに施錠及び開錠を行うことができるようにした防犯錠を提供する。【解決手段】開き戸の戸枠側に、開き戸の開き方向に突出する施錠部材保持片を取り付け、この施錠部材保持片に施錠部材を装着し、この施錠部材を開き戸に当接させることにより施錠を行う防犯錠において、施錠部材の施錠機構にダイヤル式施錠機構を用いる。【選択図】図１
0003156549.tif 000002
【実用新案登録請求の範囲】
【請求項１】
開き戸の戸枠側に、開き戸の開き方向に突出する施錠部材保持片を取り付け、該施錠部材保持片に施錠部材を装着し、該施錠部材を開き戸に当接させることにより施錠を行う防犯錠において、前記施錠部材の施錠機構にダイヤル式施錠機構を用いたことを特徴とする防犯錠。
【請求項２】
施錠部材に施錠部材保持片を挿入するスリット状の穴を形成し、該スリット状の穴の奥部に、施錠部材保持片に形成した嵌合穴に嵌合することによって施錠を行うラッチボールを配設し、該ラッチボールを嵌合穴に嵌合する施錠位置と嵌合穴から離脱する開錠位置とに選択的に位置させることができるようにするラッチボール操作片を設け、該ラッチボール操作片とダイヤル式施錠機構との間に、ダイヤル式施錠機構を開錠状態としたときにラッチボール操作片を可動にするカム片を介在させたことを特徴とする請求項１記載の防犯錠。
【考案の詳細な説明】
【技術分野】
【０００１】
本考案は、例えば、マンション等の開き戸に後付けの補助錠として使用する防犯錠に関し、特に、鍵を不要にした防犯錠に関するものである。
【背景技術】
【０００２】
近年、ピッキングによる盗難対策として、マンション等の開き戸に後付けの防犯錠が設置される機会が多くなっている。
この種の防犯錠の１つとして、開き戸の戸枠側に、開き戸の開き方向に突出する施錠部材保持片を取り付け、この施錠部材保持片に施錠部材を装着し、この施錠部材を開き戸に外側から当接させることにより施錠を行う防犯錠が知られている（例えば、特許文献１〜２参照）。
【先行技術文献】
【特許文献】
【０００３】
【特許文献１】特開平９−１００６６５号公報
【特許文献２】特開２００４−２０４４６７号公報
【考案の概要】
【考案が解決しようとする課題】
【０００４】
ところで、上記従来の防犯錠においては、施錠部材の施錠機構に施錠及び開錠を鍵によって行う施錠機構を用いるようにしているため、使用する鍵の数が多くなり、取り扱いが面倒になるという問題があった。
また、例えば、空きマンションの管理を行う場合には、防犯錠のみで施錠することも行われているが、複数の担当者がそれぞれ鍵を持ち歩く必要があり、鍵の管理に手数を要するという問題があった。
【０００５】
本考案は、上記従来の施錠及び開錠を鍵によって行う施錠機構を用いた防犯錠の有する問題点に鑑み、マンション等の開き戸に後付けの補助錠として使用する防犯錠において、施錠部材の施錠機構を鍵を用いずに施錠及び開錠を行うことができるようにした防犯錠を提供することを目的とする。
【課題を解決するための手段】
【０００６】
上記目的を達成するため、本考案の防犯錠は、開き戸の戸枠側に、開き戸の開き方向に突出する施錠部材保持片を取り付け、該施錠部材保持片に施錠部材を装着し、該施錠部材を開き戸に当接させることにより施錠を行う防犯錠において、前記施錠部材の施錠機構にダイヤル式施錠機構を用いたことを特徴とする。
【０００７】
この場合において、施錠部材に施錠部材保持片を挿入するスリット状の穴を形成し、該スリット状の穴の奥部に、施錠部材保持片に形成した嵌合穴に嵌合することによって施錠を行うラッチボールを配設し、該ラッチボールを嵌合穴に嵌合する施錠位置と嵌合穴から離脱する開錠位置とに選択的に位置させることができるようにするラッチボール操作片を設け、該ラッチボール操作片とダイヤル式施錠機構との間に、ダイヤル式施錠機構を開錠状態としたときにラッチボール操作片を可動にするカム片を介在させるようにすることができる。
【考案の効果】
【０００８】
本考案の防犯錠によれば、施錠部材の施錠機構にダイヤル式施錠機構を用いることにより、マンション等の開き戸に後付けの補助錠として使用する防犯錠において、施錠部材の施錠機構を鍵を用いずに施錠及び開錠を行うことができ、鍵の取り扱いや管理の問題を解消することができる。
【０００９】
また、施錠部材に施錠部材保持片を挿入するスリット状の穴を形成し、該スリット状の穴の奥部に、施錠部材保持片に形成した嵌合穴に嵌合することによって施錠を行うラッチボールを配設し、該ラッチボールを嵌合穴に嵌合する施錠位置と嵌合穴から離脱する開錠位置とに選択的に位置させることができるようにするラッチボール操作片を設け、該ラッチボール操作片とダイヤル式施錠機構との間に、ダイヤル式施錠機構を開錠状態としたときにラッチボール操作片を可動にするカム片を介在させ、ダイヤル式施錠機構によるラッチボールの動作の制御を、カム片及びラッチボール操作片を介して行うようにしているので、ダイヤル式施錠機構の操作の安定性を向上することができる。
【図面の簡単な説明】
【００１０】
【図１】本考案の防犯錠の第１実施例を示し、（ａ）は正面図、（ｂ）は底面図、（ｃ）は側面図である。
【図２】同防犯錠の（ａ）は施錠時の状態を、（ｂ）は開錠時の状態を示す。
【図３】同防犯錠の施錠部材保持片を示し、（ａ）は平面図、（ｂ）は側面図である。
【図４】（ａ）は同防犯錠の施錠部材保持片を戸枠に取り付けた状態を、（ｂ）は施錠部材保持片に施錠部材を装着した状態を示す。
【図５】本考案の防犯錠の第２実施例の（ａ）は施錠時の状態を、（ｂ）は開錠時の状態を示す。
【考案を実施するための形態】
【００１１】
以下、本考案の防犯錠の実施の形態を、図面に基づいて説明する。
【実施例１】
【００１２】
図１〜図４に、本考案の防犯錠の第１実施例を示す。
この防犯錠は、開き戸１の戸枠２側に、開き戸１の開き方向に突出する施錠部材保持片３を取り付け、この施錠部材保持片３に施錠部材４を装着し、この施錠部材４を開き戸１に当接させることにより施錠を行う防犯錠において、施錠部材４の施錠機構にダイヤル式施錠機構４１を用いるようにしたものである。
【００１３】
施錠部材保持片３は、図３〜図４に示すように、クランプ機構３１を介して戸枠２に取り付けられるようにしている。
クランプ機構３１は、施錠部材保持片本体３０に回動可能に枢支したねじボルト３１ａに挟持片３１ｂを螺合させており、これにより、ねじボルト３１ａを軸方向に出没させることなく挟持片３１ｂのみを移動させ、施錠部材保持片本体３０を戸枠２に固定できるようにしている。
また、施錠部材保持片３の開き戸１の開き方向に突出する部分３２には、後述の施錠部材４のラッチボール４３が嵌合する嵌合穴３３を形成するようにする。
【００１４】
施錠部材保持片３に装着される施錠部材４の施錠機構に用いるダイヤル式施錠機構４１は、図１〜図２に示すように、数字を周面に刻印した複数の回転リングを備え、特定の数字の組み合わせで開錠状態となる従来汎用されている施錠機構を採用することができる。
この場合、必要に応じて、開錠状態となる数字の組み合わせをユーザー側で変更できるように構成することもできる。
【００１５】
また、施錠部材４には、施錠部材保持片３の開き戸１の開き方向に突出する部分３２を挿入するスリット状の穴４２を形成し、このスリット状の穴４２の奥部に、施錠部材保持片３に形成した嵌合穴３３に嵌合することによって施錠を行うラッチボール４３を配設し、このラッチボール４３を嵌合穴３３に嵌合する施錠位置（図２（ａ））と嵌合穴３３から離脱する開錠位置（図２（ｂ））とに選択的に位置させることができるようにするラッチボール操作片４４を設け、このラッチボール操作片４４とダイヤル式施錠機構４１との間に、ダイヤル式施錠機構４１を開錠状態としたときにラッチボール操作片４４を可動にするカム片４５を介在させるようにしている。
【００１６】
カム片４５は、基端部側がダイヤル式施錠機構４１に当接するように付勢して配設することにより、施錠位置（図２（ａ））では、カム片４５の先端側がラッチボール操作片４４に形成された切欠部４４ａに嵌入して、ラッチボール操作片４４が不動となる（回動できない）ようにしている。
この状態では、ラッチボール操作片４４の凸状のラッチボール操作面４４ｂ１がラッチボール４３に当接し、ラッチボール４３が嵌合穴３３に嵌合した施錠状態となる。
一方、開錠位置（図２（ｂ））では、カム片４５の先端側がラッチボール操作片４４に形成された切欠部４４ａから離脱して、ラッチボール操作片４４が可動となる（回動できる）ようにしている。
この状態では、ラッチボール操作片４４の凹状のラッチボール操作面４４ｂ２がラッチボール４３に当接し、ラッチボール４３が嵌合穴３３から離脱できる施錠状態となる。
【００１７】
このように、ダイヤル式施錠機構４１によるラッチボール４３の動作の制御を、カム片４５及びラッチボール操作片４３を介して行うようにすることにより、ダイヤル式施錠機構４１の操作の安定性を向上することができるが、機構を簡略化するために、カム片によって、直接ラッチボール４３の動作の制御を行うように構成することもできる。
【００１８】
また、施錠部材４には、裏面にマグネットシート４６を配設するようにしている。
このマグネットシート４６は、施錠部材４が開き戸１に当接した際に、開き戸１の表面を傷つけることがないように、柔軟性を有する材料で構成することが望ましい。
そして、マグネットシート４６を配設することにより、施錠部材４を常に開き戸１に固定されたままとすることが可能となり、これにより、不正侵入者は在宅か不在かを判断することができないため、防犯効果を向上させることができる。
また、施錠部材４が施錠部材保持片３の挿入位置で開き戸１に固定されることから、開き戸１を閉めた際に自動的に施錠部材４が施錠部材保持片３に装着されることになり、これにより、手による施錠部材４の装着作業を省略し、通常の１ドア・ツーロックの感覚で簡単に使用することができる。
また、開き戸１を長期的に使用する開き戸１の重さで施錠位置が変動することになるが、施錠部材４をマグネットシート４６により開き戸１に上下方向及び水平方向に移動可能に固定することにより、施錠部材４と施錠部材保持片３の位置が多少ずれたとしても、施錠部材４が自動的に移動してその位置を保持することができ、これにより、使用者は常に調子よくこの防犯錠を使用することができる。
【００１９】
この防犯錠によれば、施錠部材４の施錠機構にダイヤル式施錠機構４１を用いることにより、マンション等の開き戸１に後付けの補助錠として使用する防犯錠において、施錠部材４の施錠機構を鍵を用いずに施錠及び開錠を行うことができ、鍵の取り扱いや管理の問題を解消することができる。
【実施例２】
【００２０】
図５に、本考案の防犯錠の第２実施例を示す。
この防犯錠は、ラッチボール操作片４４を、上記第１実施例の防犯錠のような回動式ではなく、押下式として構成するようにしている。
【００２１】
そして、施錠位置（図５（ａ））では、カム片４５の先端側がラッチボール操作片４４に形成された凸部４４ｃに当接して、ラッチボール操作片４４が不動となる（押下できない）ようにしている。
この状態では、ラッチボール操作片４４の凸状のラッチボール操作面４４ｄ１がラッチボール４３に当接し、ラッチボール４３が嵌合穴３３に嵌合した施錠状態となる。
一方、開錠位置（図５（ｂ））では、カム片４５の先端側がラッチボール操作片４４に形成された凸部４４ｃから外れて、ラッチボール操作片４４が可動となる（押下できる）ようにしている。
この状態では、ラッチボール操作片４４の凹状のラッチボール操作面４４ｄ２がラッチボール４３に当接し、ラッチボール４３が嵌合穴３３から離脱できる施錠状態となる。
【００２２】
なお、ラッチボール操作片４４の操作部は、本実施例においては、施錠部材４の上面に突出させるようにしているが、施錠部材４の表面又は側面に突出させるようにすることもできる。
【００２３】
また、本実施例の防犯錠のその他の構成及び作用は、上記第１実施例の防犯錠と同様である。
【００２４】
以上、本考案の防犯錠について、複数の実施例に基づいて説明したが、本考案は上記実施例に記載した構成に限定されるものではなく、その趣旨を逸脱しない範囲において適宜その構成を変更することができるものである。
【産業上の利用可能性】
【００２５】
本考案の防犯錠は、マンション等の開き戸に後付けの補助錠として使用する防犯錠において、施錠部材の施錠機構を鍵を用いずに施錠及び開錠を行うことができることから、後付けの防犯錠の用途に好適に用いることができるほか、例えば、空きマンションの管理を行う場合の用途等に広く用いることができる。
【符号の説明】
【００２６】
１    開き戸
２    戸枠
３    施錠部材保持片
３０  施錠部材保持片本体
３１  クランプ機構
３１ａ  ねじボルト
３１ｂ  挟持片
３２  突出する部分
３３  嵌合穴
４    施錠部材
４１  ダイヤル式施錠機構
４２  スリット状の穴
４３  ラッチボール
４４  ラッチボール操作片
４５  カム片
４６  マグネットシート
【図１】
0003156549.tif 000003
【図２】
0003156549.tif 000004
【図３】
0003156549.tif 000005
【図４】
0003156549.tif 000006
【図５】
0003156549.tif 000007